(57)【要約】  貨物倉防壁構造が開示される。本発明の実施例による貨物倉防壁構造は貨物倉の内壁上部に複数の列と行で並んで配列される断熱ボード；およびそれぞれの断熱ボードの上部に順次積層された２次防壁および１次防壁；を含むものの、２次防壁および１次防壁にはそれぞれ上側に突出した曲面形態のしわ部が並んで形成されるものの、しわ部が互いに重なるように対応して形成される。
2017530307.tif 000002
【特許請求の範囲】
【請求項１】
貨物倉の内壁上部に複数の列と行で並んで配列される断熱ボード；および
それぞれの前記断熱ボードの上部に順次積層された２次防壁および１次防壁；を含むものの、
前記２次防壁および前記１次防壁にはそれぞれ上側に突出した曲面形態のしわ部が並んで形成されるものの、前記しわ部が互いに重なるように対応して形成された、貨物倉防壁構造。
【請求項２】
前記しわ部はグループ単位で形成されるものの、各グループ毎に真ん中のしわ部よりも両側のしわ部の長さが長く形成された、請求項１に記載の貨物倉防壁構造。
【請求項３】
横方向に形成されたしわ部を有する２次防壁および１次防壁が積層された断熱ボードと、縦方向に形成されたしわ部を有する２次防壁および１次防壁が積層された断熱ボードが交互に配置された、請求項１に記載の貨物倉防壁構造。
【請求項４】
前記交互に配置された両側の断熱ボードの上部に積層された２次防壁および１次防壁の間の空間をカバーする平板型の連結部材をさらに含む、請求項３に記載の貨物倉防壁構造。
【請求項５】
前記２次防壁および前記１次防壁の間に介在された防壁支持板と、
前記断熱ボードに形成された内部ホールの上部をカバーし、前記２次防壁および前記１次防壁それぞれの貫通ホール周辺部と溶接接合される蓋ユニットと、
前記内部ホールに挿入された状態で前記蓋ユニットと結合される支持ロッドをさらに含むものの、
前記２次防壁および前記１次防壁のしわ部は前記２次防壁の平坦面に配置される前記防壁支持板によって互いに離隔した状態で重なる、請求項１に記載の貨物倉防壁構造。
【請求項６】
前記しわ部は前記内部ホールを中心に対称となるように形成された、請求項５に記載の貨物倉防壁構造。
【請求項７】
前記断熱ボードは下部保護板、断熱部材、および上部保護板が積層された構造であり、
前記蓋ユニットは前記支持ロッドに結合されて前記断熱部材によって支持され、前記２次防壁の貫通ホール周辺部と溶接接合される固定片と、
前記支持ロッドを通じて前記固定片の上部に結合され、前記１次防壁の貫通ホール周辺部と溶接接合される蓋を含む、請求項５に記載の貨物倉防壁構造。
【請求項８】
前記断熱ボードは前記貨物倉の船体の内壁上部に配置されるベース板と、
前記ベース板と前記下部保護板の間に介在されて、前記支持ロッドを支持するロッド支持板をさらに含み、
前記ロッド支持板の上部に前記支持ロッドと締結されるナットが設けられた、請求項７に記載の貨物倉防壁構造。
【発明の詳細な説明】
【技術分野】
【０００１】
本発明は貨物倉防壁構造に関するものである。
【背景技術】
【０００２】
極低温流体を運搬する船舶貨物倉の防壁構造は通常、１次防壁、上部断熱ボード、２次防壁および下部断熱ボードが結合された構造である。これは、１次防壁に少量の極低温流体の漏出がある場合、２次防壁で該当流体の追加的な漏出を防止するためである。
【０００３】
貨物倉防壁設置のために、貨物倉の船体の内壁に下部断熱ボードを固定させ、下部断熱ボードの上部に主２次防壁を設置する。次に下部断熱ボード間に形成された空間をカバーするために両側の主２次防壁上面と一部が重なるように補助２次防壁を設置する。次に、２次防壁上部に上部断熱ボードおよび１次防壁を設置する。この過程で上部断熱ボードの間に連結ボードを設置して上部断熱ボードの間を連結する。
【０００４】
従来の貨物倉防壁構造はそれぞれ異なる大きさの主２次防壁と補助２次防壁、上部断熱ボード、および連結ボードなどが必要であり、これは各製品の生産工程および設置工程において非効率的である。これと関連した技術が韓国公開特許第１０−２０１２−００１３２０７号（２０１２．０２．１４．公開）に記載されている。
【発明の概要】
【発明が解決しようとする課題】
【０００５】
本発明の実施例は効率的な貨物倉防壁設置がなされるようにする貨物倉防壁構造を提供する。
【課題を解決するための手段】
【０００６】
本発明の一側面によれば、貨物倉の内壁上部に複数の列と行で並んで配列される断熱ボード；およびそれぞれの前記断熱ボードの上部に順次積層された２次防壁および１次防壁；を含むものの、前記２次防壁および前記１次防壁にはそれぞれ上側に突出した曲面形態のしわ部が並んで形成されるものの、前記しわ部が互いに重なるように対応して形成された貨物倉防壁構造が提供され得る。
【０００７】
前記しわ部はグループ単位で形成されるものの、各グループ毎に真ん中のしわ部よりも両側のしわ部の長さが長く形成され得る。
【０００８】
横方向に形成されたしわ部を有する２次防壁および１次防壁が積層された断熱ボードと、縦方向に形成されたしわ部を有する２次防壁および１次防壁が積層された断熱ボードが交互に配置され得る。
【０００９】
前記交互に配置された両側の断熱ボードの上部に積層された２次防壁および１次防壁の間の空間をカバーする平板型の連結部材をさらに含むことができる。
【００１０】
前記２次防壁および前記１次防壁の間に介在された防壁支持板と、前記断熱ボードに形成された内部ホール上部をカバーし、前記２次防壁および前記１次防壁それぞれの貫通ホール周辺部と溶接接合される蓋ユニットと、前記内部ホールに挿入された状態で前記蓋ユニットと結合される支持ロッドをさらに含むものの、前記２次防壁および前記１次防壁のしわ部は前記２次防壁の平坦面に配置される前記防壁支持板によって互いに離隔した状態で重なり得る。
【００１１】
前記しわ部は前記内部ホールを中心に対称となるように形成され得る。
【００１２】
前記断熱ボードは下部保護板、断熱部材、および上部保護板が積層された構造であり、前記蓋ユニットは前記支持ロッドに結合されて前記断熱部材によって支持され、前記２次防壁の貫通ホール周辺部と溶接接合される固定片と、前記支持ロッドを通じて前記固定片の上部に結合され、前記１次防壁の貫通ホール周辺部と溶接接合される蓋を含むことができる。
【００１３】
前記断熱ボードは前記貨物倉の船体の内壁上部に配置されるベース板と、前記ベース板と前記下部保護板の間に介在され、前記支持ロッドを支持するロッド支持板をさらに含み、前記ロッド支持板の上部に前記支持ロッドと締結されるナットが設けられ得る。
【発明の効果】
【００１４】
本発明の実施例による貨物倉防壁構造は効率的な貨物倉防壁設置がなされ得るようにする。
【００１５】
本発明の効果は以上で言及した効果に制限されず、言及されていないさらに他の効果は特許請求の範囲の記載から当業者に明確に理解できるであろう。
【図面の簡単な説明】
【００１６】
【図１】本発明の実施例による船舶貨物倉防壁構造の断面図。
【図２】図１の防壁構造のうち２次防壁が配置された形態を斜視図で図示した図面。
【図３】図１の防壁構造が配置された形態を平面図で図示した図面。
【発明を実施するための形態】
【００１７】
以下では本発明の実施例を添付図面を参照して詳細に説明する。以下に紹介される実施例は本発明が属する技術分野で通常の知識を有した者に本発明の思想を十分に伝達させるために例として提供されるものである。本発明は以下で説明される実施例に限定されず、他の形態でも具体化され得る。本発明を明確に説明するために説明と関係のない部分は図示を省略し、図面において、構成要素の幅、長さ、厚さなどは便宜のために誇張して表現され得る。明細書全体に亘って同じ参照番号は同じ構成要素を指し示す。
【００１８】
図１と図２を参照すれば、本発明の実施例による極低温流体（例えば、液化天然ガス（ＬＮＧ））を貯蔵する船舶貨物倉の防壁構造は断熱ボード１１０、２次防壁１２０、１次防壁１３０、防壁支持板１２５、蓋ユニット１４０および支持ロッド１５０を含む。
【００１９】
断熱ボード１１０は極低温流体を貯蔵する貨物倉の内壁上部に複数の列と行で並んで配列され、下部保護板１１１、断熱部材１１２、および上部保護板１１３が積層された構造である。下部保護板１１１はプライウッドで製作され得、断熱部材１１２はポリウレタンフォーム材質（ＰＵＦ、Ｐｏｌｙｕｒｅｔｈａｎｅ  Ｆｏａｍ）、強化ポリウレタンフォーム（ＲＰＵＦ、Ｒｅｉｎｆｏｒｃｅｄ  ＰＵＦ）などで製作されて、下部保護板１１１の上部に接着剤（例えば例えばグルーなど）により接合され得る。上部保護板１１３はプライウッド材質で製作されて断熱部材１１２の上部に配置される。
【００２０】
断熱ボード１１０は一体型の単一体で製作されて貨物倉の内壁に並んで配列され得る。断熱ボード１１０は例えば一定厚さを有し、横と縦の長さが同じである、１：１比率の正方形の形状で製作され得る。
【００２１】
断熱ボード１１０は後述する支持ロッド１５０が挿入される内部ホール１１０ａを形成する。ここで、断熱ボード１１０は貨物倉の船体の内壁上部に配置されるベース板１１４と、ベース板１１４と下部保護板１１１の間に介在され、内部ホール１１０ａに挿入されてロッド１５０を支持するロッド支持板１１５をさらに含むことができる。
【００２２】
２次防壁１２０および１次防壁１３０は分離製作されてそれぞれの断熱ボード１１０の上部に順次積層される。２次防壁１２０および１次防壁１３０は断熱ボード１１０と対応する大きさで製作され得る。２次防壁１２０および１次防壁１３０の貫通ホール周辺部は断熱ボード１１０に形成された内部ホール１１０ａの上部をカバーする後述する蓋ユニット１４０にそれぞれ溶接接合され得る。
【００２３】
２次防壁１２０および１次防壁１３０は上側または下側に突出した曲面形態のしわ部１２１、１３１を形成する。しわ部１２１、１３１は２次防壁１２０および１次防壁１３０の貫通ホールを中心に対称となるように並んで形成される。２次防壁１２０および１次防壁１３０は例えば、ステンレススチール、アルミニウム、黄銅、亜鉛などの金属材料で製作された複数のシートで構成され得る。また、他の例として金属シートと繊維強化複合材料で構成された複合材料シートで設けられ得る。
【００２４】
防壁支持板１２５は２次防壁１２０と１次防壁１３０の間に介在されるものの、２次防壁１２０の平坦面上部に配置される。前述したしわ部１２１、１３１は２次防壁１２０の平坦面に配置された防壁支持板１２５によって互いに離隔した状態で重なる。防壁支持板１２５は例えばプライウッド材質などで製作され得る。
【００２５】
図２は断熱ボード１１０の上部に配置された２次防壁１２０のシワ部１２１の形態を示している。該当しわ部１２１は２次防壁１２０の貫通ホールを中心に対称となるように形成され得る。また、しわ部１２１はグループ（Ｇ１、Ｇ２）単位で形成されるものの、各グループ（Ｇ１、Ｇ２）ごとに真ん中に形成されたしわ部（Ｃ１）よりも両側に形成されたしわ部（Ｃ２）の長さが長く形成され得る。実験結果、このようなしわ部の形態は極低温流体による熱応力に効果的に対応することができた。２次防壁１２０のシワ部１２１の形態は１次防壁１３０のシワ部（１３１、図３参照）にも同一／類似に適用される。
【００２６】
図３は図１に図示された防壁構造の平面図を図示したものである。
【００２７】
図３を参照すれば、１次防壁１３０のシワ部１３１は横方向または縦方向に形成され得る。このとき、下側の２次防壁１２０のシワ部１２１は上位の１次防壁１３０のシワ部１３１の方向と同一に重なるように形成されている。
【００２８】
横方向に形成されたしわ部を有する２次防壁１２０および１次防壁１３０が積層された断熱ボード１１０cと、縦方向に形成されたしわ部を有する２次防壁１２０および１次防壁１３０が積層された断熱ボード１１０ｂは互いに交互に配置され得る。これを通じて、横または縦方向に収縮膨張することができるため、極低温流体による熱応力などに効果的に対応することができる。また、それぞれブロック型で製作された防壁構造を並んで配置することによって防壁設置作業を効果的に遂行できる。
【００２９】
断熱ボード１１０に積層された２次防壁１２０の間の空間は連結部材１０１によりカバーされ得る。同じように、１次防壁１３０の間の空間も連結部材１０１によりカバーされ得る。連結部材１０１の両端部は両側の１次および２次防壁１3０、１2０と一部重なった状態で溶接接合され得、１次および２次防壁１3０、１2０と同じ材質の平板型で製作され得る。他の例において連結部材１０１は、１次および２次防壁１3０、１2０の間の空間に上側または下側に突出したしわ部を形成することもでき、これを通じて熱応力に効果的に対応することができる。
【００３０】
図１と図２を参照すれば、蓋ユニット１４０は断熱ボード１１０に形成された内部ホール１１０ａの上部をカバーし、２次防壁１２０および１次防壁１３０それぞれの貫通ホール周辺部と溶接接合される。蓋ユニット１４０は支持ロッド１５０に結合されて断熱部材１１２により支持され、２次防壁１２０の貫通ホール周辺部と溶接接合される固定片１４１と、支持ロッド１５０を通じて固定片１４１の上部に結合され、１次防壁１３０の貫通ホール周辺部と溶接接合される蓋１４３を含む。固定片１４１と蓋１４３は段差のある形状で設けられ、該当段差のある部位の上端に２次防壁１２０および１次防壁１３０がそれぞれ溶接接合され得る。
【００３１】
支持ロッド１５０は断熱ボード１１０に形成された内部ホール１１０ａに挿入された状態で蓋ユニット１４０と結合され、例えばスタッドボルトなどを含むことができる。前述したロッド支持板１１５の上部には支持ロッド１５０と締結されるナット１１５ａが設けられ得る。支持ロッド１５０は蓋ユニット１４０およびナット１１５ａと結合される部位に螺子山を形成することができる。
【００３２】
以上では特定の実施例について図示して説明した。しかし、本発明は前記した実施例にのみ限定されず、発明が属する技術分野で通常の知識を有した者であれば以下の特許請求の範囲に記載された発明の技術的思想の要旨を逸脱することなく、いくらでも多様に変更実施できるであろう。
【図１】
2017530307.tif 000003
【図２】
2017530307.tif 000004
【図３】
2017530307.tif 000005
【国際調査報告】
2017530307.tif 000006
2017530307.tif 000007
2017530307.tif 000008
2017530307.tif 000009